【手続補正書】
【提出日】平成17年6月22日(2005.6.22)
【手続補正１】
【補正対象書類名】明細書
【補正対象項目名】特許請求の範囲
【補正方法】変更
【補正の内容】
【特許請求の範囲】
【請求項１】
両端側を軸支されて回転可能に設けられたプラテンローラと、このプラテンローラに対向して設けられ上記プラテンローラの回転軸心方向である主走査方向に発熱体が複数配設されたサーマルヘッドと、このサーマルヘッドを上記プラテンローラへ押圧する押圧手段とが備えられ、上記プラテンローラとサーマルヘッドとの間で感熱メディアを押圧し、上記プラテンローラの回転によって上記主走査方向と直交する副走査方向に上記感熱メディアを移動させながら製版する製版装置において、
上記サーマルヘッドが、上記押圧手段の押圧による上記プラテンローラの変形に追随できるように、上記サーマルヘッドの剛性を上記プラテンローラの剛性と同等かそれ以下になるように低下させたことを特徴とする製版装置。
【請求項２】
請求項１記載の製版装置において、
上記サーマルヘッドの剛性の低下が、上記サーマルヘッドの機械的強度の主体をなす部材の厚さ及び上記副走査方向である短手方向の長さを小さくすることによってなされることを特徴とする製版装置。
【請求項３】
請求項２記載の製版装置において、
上記サーマルヘッドの機械的強度の主体をなす部材がアルミ放熱板であり、その上記厚さを８ｍｍ未満、上記短手方向の長さを２０ｍｍ未満としたことを特徴とする製版装置。
【請求項４】
請求項１，２又は３記載の製版装置において、
上記押圧手段の押圧が、上記サーマルヘッドの主走査方向の中央に位置する作用点と、この作用点を中心に左右対称となる他の４つの作用点の合計５つの作用点を介してなされることを特徴とする製版装置。
【請求項５】
請求項４記載の製版装置において、
上記中央の作用点が、上記サーマルヘッドの主走査方向の中央を中心として左右対称に且つ近接して位置する２つの作用点からなり、これら中央の２つの作用点を全体として１つの作用点とみなすことを特徴とする製版装置。
【請求項６】
請求項４記載の製版装置において、
上記押圧手段の押圧力が下記に示す式（１），（２）及び固有係数の定義範囲に基づいて設定されることを特徴とする製版装置。
Ｗｂ＝Ｗｃ＝Ｗｂ’＝Ｗｃ’                        ・・・（１）
Ｗａ＝ｋ・Ｗｂ＝ｋ・Ｗｃ＝ｋ・Ｗｂ’＝ｋ・Ｗｃ’  ・・・（２）
１．０＜ｋ＜３．０
但し、Ｗａ：中央部の作用点の押圧力［Ｎ］
Ｗｂ、Ｗｂ’：ＷａとＷｃ（Ｗｃ’）の間の作用点の押圧力［Ｎ］
Ｗｃ、Ｗｃ’：最端の作用点の押圧力［Ｎ］
ｋ：固有係数
とする。
【請求項７】
請求項４又は６記載の製版装置において、
上記各作用点が下記に示す式（３），（４）及び固有係数の定義範囲に基づいて設定されることを特徴とする製版装置。
Ｌａｃ＝Ｌａｃ’＝ｓ・（Ｌ／２）            ・・・（３）
Ｌｂｃ＝Ｌｂｃ’＝ｔ・Ｌａｂ＝ｔ・Ｌａｂ’  ・・・（４）
０．５≦ｓ≦１．０
１．０≦ｔ≦３．０
但し、Ｌａｃ、Ｌａｃ’：Ｗａの作用点とＷｃ（Ｗｃ’）の作用点の距離［ｍｍ］
Ｌａｂ、Ｌａｂ’：Ｗａの作用点とＷｂ（Ｗｂ’）の作用点の距離［ｍｍ］
Ｌｂｃ、Ｌｂｃ’：Ｗｂ（Ｗｂ’）の作用点とＷｃ（Ｗｃ’）の作用点の距離                          ［ｍｍ］
Ｌ：サーマルヘッドとプラテンローラが接する主走査方向長さ［ｍｍ］
ｓ：固有係数
ｔ：固有係数
とする。
【請求項８】
請求項６又は７記載の製版装置において、
上記押圧手段による全押圧力が、下記に示す式（５）に基づいて１．５〜３．５［Ｎ／ｃｍ］の範囲に設定されることを特徴とする製版装置。
１．５≦（Ｗａ＋Ｗｂ＋Ｗｃ＋Ｗｂ’＋Ｗｃ’）／（Ｌ／１０）≦３．５・・・（５）
【請求項９】
請求項１，２又は３記載の製版装置において、
上記押圧手段の押圧が、上記サーマルヘッドの主走査方向の中央に位置する作用点と、この作用点を中心に左右対称となる他の作用点を介してなされ、作用点の合計数が７つ以上であることを特徴とする製版装置。
【請求項１０】
請求項８記載の製版装置において、
上記中央の作用点が、上記サーマルヘッドの主走査方向の中央を中心として左右対称に且つ近接して位置する２つの作用点からなり、これら中央の２つの作用点を全体として１つの作用点とみなすことを特徴とする製版装置。
【請求項１１】
請求項９記載の製版装置において、
上記押圧手段の押圧力が下記に示す式（６），（７），（８）及び固有係数の定義範囲に基づいて設定されることを特徴とする製版装置。
Ｗ２＝Ｗ３＝・・・＝Ｗｍ（＝Ｗ２’＝Ｗ３’＝・・・＝Ｗｍ’）    ・・・（６）
Ｗ１＝ｋ・Ｗ２＝ｋ・Ｗ３  ＝・・・＝ｋ・Ｗｍ（＝ｋ・Ｗ２’＝ｋ・Ｗ３’＝・・・＝ｋ・Ｗｍ’）    ・・・（７）
ｍ≦（ｎ−１）／２＋１    ・・・（８）
１．０＜ｋ＜３．０
但し、Ｗ１：中央部の作用点の押圧力［Ｎ］
Ｗ２、Ｗ２’：Ｗ１に隣接する作用点の押圧力［Ｎ］
Ｗ３、Ｗ３’：Ｗ２（Ｗ２’）を中心にＷ１の反対側に位置する作用点の押圧                        力［Ｎ］
・
・
・
Ｗｍ、Ｗｍ’：Ｗ（ｍ−１）（Ｗ（ｍ−１）’）を中心に
Ｗ（ｍ−２）（Ｗ（ｍ−２）’）の反対側に位置する作用点の                        押圧力［Ｎ］
ｍ：整数
ｎ：７以上の奇数（作用点の合計数）
とする。
【請求項１２】
請求項９又は１１記載の製版装置において、
上記各作用点が下記に示す式（９），（１０）に基づいて設定されることを特
徴とする製版装置。
Ｌ１ｍ＝Ｌ１ｍ’＝ｓ・（Ｌ／２）            ・・・（９）
Ｌ１２（＝Ｌ１２’）≦Ｌ２３（＝Ｌ２３’）≦・・・≦Ｌ（ｍ−１）ｍ（＝Ｌ（ｍ−１）ｍ’）      ・・・（１０）
但し、Ｌ１２、Ｌ１２’：中央部の作用点と隣接する作用点間の距離［ｍｍ］
Ｌ２３、Ｌ２３’：Ｗ２（Ｗ２’）の作用点と、これにサーマルヘッドの端方                            向へ隣接するＷ３（Ｗ３’）の作用点間の距離
・
・
・
Ｌ（ｍ−１）ｍ、Ｌ（ｍ−１）ｍ’：
Ｗ（ｍ−１）（Ｗ（ｍ−１）’）の作用点と、これにサーマルヘッ                    ドの端方向へ隣接するＷｍ（Ｗｍ’）の作用点間の距離
とする。
【請求項１３】
請求項１１又は１２記載の製版装置において、
上記押圧手段による全押圧力が、下記に示す式（１１）に基づいて１．５〜３．５［Ｎ／ｃｍ］の範囲に設定されることを特徴とする製版装置。
１．５≦（Ｗ１＋Ｗ２＋・・・Ｗｍ＋Ｗ１’＋Ｗ２’＋・・・Ｗｍ’）／（Ｌ／１０）≦３．５        ・・・（１１）
【手続補正２】
【補正対象書類名】明細書
【補正対象項目名】００３０
【補正方法】変更
【補正の内容】
【００３０】
請求項１１記載の発明では、請求項９記載の構成において、上記押圧手段の押圧力が下記に示す式（６），（７），（８）及び固有係数の定義範囲に基づいて設定される、という構成を採っている。
Ｗ２＝Ｗ３＝・・・＝Ｗｍ（＝Ｗ２’＝Ｗ３’＝・・・＝Ｗｍ’）    ・・・（６）
Ｗ１＝ｋ・Ｗ２＝ｋ・Ｗ３  ＝・・・＝ｋ・Ｗｍ（＝ｋ・Ｗ２’＝ｋ・Ｗ３’＝・・・＝ｋ・Ｗｍ’）    ・・・（７）
ｍ≦（ｎ−１）／２＋１    ・・・（８）
１．０＜ｋ＜３．０
但し、Ｗ１：中央部の作用点の押圧力［Ｎ］
Ｗ２、Ｗ２’：Ｗ１に隣接する作用点の押圧力［Ｎ］
Ｗ３、Ｗ３’：Ｗ２（Ｗ２’）を中心にＷ１の反対側に位置する作用点の押圧                        力［Ｎ］
・
・
・
Ｗｍ、Ｗｍ’：Ｗ（ｍ−１）（Ｗ（ｍ−１）’）を中心に
Ｗ（ｍ−２）（Ｗ（ｍ−２）’）の反対側に位置する作用点の                        押圧力［Ｎ］
ｍ：整数
ｎ：７以上の奇数（作用点の合計数）
とする。